(57)【要約】      （修正有）【課題】紐部材を絞って開口部を閉塞すると中身が見えなくなる仕組みの巾着バッグを提供する。【解決手段】上部に開口部１２を有し、両端の側部１３に二つ折り状態のマチ部１４がそれぞれ設けられる袋状のバッグ本体１５と、開口部の縁部１２ａに沿って設けられる挿通部１６に挿通し、当該開口部を絞って閉塞するための紐部材１７とを備え、挿通部には、両端の側部の前記縁部にそれぞれ挿通孔１８が設けられ、挿通孔から紐部材が延出する構成である。開口部の縁部の内側には、一対の持ち手１９が折り畳まれた状態で取出し自在に設けられている。【選択図】図３
0003222826.tif 000002
【実用新案登録請求の範囲】
【請求項１】
上部に開口部を有し、両端の側部に二つ折り状態のマチ部がそれぞれ設けられる袋状のバッグ本体と、
前記開口部の縁部に沿って設けられる挿通部に挿通し、当該開口部を絞って閉塞するための紐部材と、を少なくとも備え、
前記挿通部には、前記両端の側部の前記縁部にそれぞれ挿通孔が設けられ、
該挿入孔から前記紐部材が延出する構成であること
を特徴とする巾着バッグ。
【請求項２】
前記紐部材は、その端部が前記マチ部の下部側に取り付けられていること
を特徴とする請求項１に記載の巾着バッグ。
【請求項３】
前記開口部の縁部の内側には、一対の持ち手が折り畳まれた状態で取出し自在に設けられていること
を特徴とする請求項１に記載の巾着バッグ。
【考案の詳細な説明】
【技術分野】
【０００１】
本考案は、紐部材を絞って開口部を閉塞すると中身が見えなくなる仕組みの巾着バッグに関するものである。
【背景技術】
【０００２】
従来、一般に使用されるバッグとしては、次のような構成のものが知られている。このバッグは、上部が開口したバッグ本体と、バッグ本体の縁部の内側に縫着された一対の持ち手とから構成される。バッグ本体は両方の側部にマチ部が設けられており、また、持ち手はアーチ状に形成されている（特許文献１参照）。
【０００３】
このような構成のバッグは、持ち手を手で把持して使用するだけでなく、アーチ状の持ち手を肩に掛けてショルダーバッグの様に使用することも可能である。
【先行技術文献】
【特許文献】
【０００４】
【特許文献１】実用新案登録第３１３７４６９号公報
【考案の概要】
【考案が解決しようとする課題】
【０００５】
この従来例のバッグにおいては、バッグ本体の上部が開口しているので、バッグ本体の内部に収納された中身が見えてしまうこととなり、プライバシー上の問題点だけでなく、防犯上の問題点を有している。
【０００６】
また、アーチ状の持ち手は一方の肩に掛けてショルダーバッグの様に使用することはできるが、例えば持ち手を両肩に掛けてリュックサックの様に使用する仕組みではないという問題点も有している。
【０００７】
従って、従来例におけるバッグにおいては、バッグの上部の開口を簡単に閉塞できるようにして中身が見えない構造にすることと、持ち手を両肩に掛けてリュックサックの様に使用できるようにすることとに解決しなければならない課題を有している。
【課題を解決するための手段】
【０００８】
前記従来例の課題を解決するための本考案の要旨は、上部に開口部を有し、両端の側部に二つ折り状態のマチ部がそれぞれ設けられる袋状のバッグ本体と、前記開口部の縁部に沿って設けられる挿通部に挿通し、当該開口部を絞って閉塞するための紐部材と、を少なくとも備え、前記挿通部には、前記両端の側部の前記縁部にそれぞれ挿通孔が設けられ、該挿入孔から前記紐部材が延出する構成であることである。
【０００９】
また、前記紐部材は、その端部が前記マチ部の下部側に取り付けられていること、；
前記開口部の縁部の内側には、一対の持ち手が折り畳まれた状態で取出し自在に設けられていること、；
を含むものである。
【考案の効果】
【００１０】
本考案に係る巾着バッグによれば、紐部材が開口部の縁部に沿って設けられる挿通部に挿通しているので、紐部材を絞って開口部を閉塞すると中身が見えなくなる。従って、従来例のバッグのように中身が見えるプライバシー上の問題点や防犯上の問題点を解消できるという優れた効果を奏する。
【００１１】
紐部材は、その端部がマチ部の下部側に取り付けられていることによって、挿入孔から延出した両側の紐部材をそれぞれ左右の肩に掛けてリュックサックのように使用することができるという優れた効果を奏する。
【００１２】
開口部の縁部の内側には、一対の持ち手が折り畳まれた状態で取出し自在に設けられていることによって、持ち手を取り出して手で把持して使用することができる。また、持ち手が必要ない場合には、開口部の縁部の内側に折り畳んで収納することができるという優れた効果を奏する。
【図面の簡単な説明】
【００１３】
【図１】本考案の第１実施例に係る巾着バッグの正面図である。
【図２】同第１実施例に係る巾着バッグの持ち手を出した状態の正面図である。
【図３】同第１実施例に係る巾着バッグの持ち手を出した状態の斜視図である。
【図４】同第１実施例に係る巾着バッグの開口部を絞って閉塞した状態の正面図である。
【図５】同第１実施例に係る巾着バッグの紐部材を肩に掛けて使用した状態の斜視図である。
【図６】本考案の第２実施例に係る巾着バッグの正面図である。
【図７】同第２実施例に係る巾着バッグの持ち手を出した状態の正面図である。
【図８】同第２実施例に係る巾着バッグの持ち手を出した状態の斜視図である。
【図９】同第２実施例に係る巾着バッグの開口部を絞って閉塞した状態の正面図である。
【図１０】同第２実施例に係る巾着バッグの紐部材を両肩に掛けて使用した状態の斜視図である。
【考案を実施するための形態】
【００１４】
次に、本考案の実施の形態について図面を参照しながら説明する。まず、図１から図４において、符号１１は巾着バッグを示し、この巾着バッグ１１は、上部に開口部１２を有する袋状のバッグ本体１５と、開口部１２を絞って閉塞するための紐部材１７とから構成される。
【００１５】
バッグ本体１５は、上部に開口部１２を有すると共に、開口部１２の縁部１２ａに沿って挿通部１６が設けられている。挿通部１６は、紐部材１７が挿通する部位である。
また、挿通部１６には、両端の側部１３の縁部１２ａ側にそれぞれ挿入孔１８が設けられている。そして、挿入孔１８から紐部材１７が所用の長さ延出する構成である。
【００１６】
バッグ本体１５の両端の側部１３には、二つ折り状態のマチ部１４が設けられており、マチ部１４が拡がってバッグ本体１５の収納容積が拡大するようになっている。
【００１７】
紐部材１７は、挿通部１６に移動自在な状態で挿通しており、上述のように、挿入孔１８から紐部材１７が所用の長さ延出している。そして、紐部材１７を両方から引っ張ると開口部１２を絞って閉塞する仕組みである（図４参照）。また、図５に示すように、紐部材１７を一方の肩に掛けて巾着バッグ１１を使用することができる。
【００１８】
開口部１２の縁部１２ａの内側には、一対の持ち手１９が折り畳まれた状態で取出し自在に設けられている。従って、必要に応じ持ち手１９を取り出して手で把持して使用することができる（図２及び図３参照）。また、持ち手１９が必要ない場合には、開口部１２の縁部１２ａの内側に折り畳んで収納することができる（図１参照）。
【００１９】
また、開口部１２の縁部１２ａの内側には、ゴムバンド２０が縫着されている。巾着バッグ１１を小さく折り畳んで、ゴムバンド２０の内側に収納してコンパクトに持ち運ぶことができる。
【００２０】
次に、第２実施例の巾着バッグ２１について説明する。この第２実施例において、前記第１実施例の巾着バッグ１１と同一部分には同一符号を付してその詳細は省略する。
【００２１】
第２実施例の巾着バッグ２１は、図６から図９に示すように、紐部材２２の端部２２ａをマチ部１４の下部１４ａ側に取り付けた構成である（図６及び図７参照）。この場合は、挿入孔１８から延出した両側の紐部材２２をそれぞれ左右の肩に掛けてリュックサックのように使用することができる（図１０参照）。
【００２２】
以上のように構成される巾着バッグ１１、２１は、紐部材１７、２２が開口部１２の縁部１２ａに沿って設けられる挿通部１６に挿通しているので、紐部材１７、２２を絞って開口部１２を閉塞すると中身が見えなくなる。従って、従来例のバッグのように中身が見えるプライバシー上の問題点や防犯上の問題点を解消できる。
【符号の説明】
【００２３】
１１  第１実施例に係る巾着バッグ
１２  開口部
１２ａ  縁部
１３  側部
１４  マチ部
１４ａ  下部
１５  バッグ本体
１６  挿通部
１７  紐部材
１８  挿入孔
１９  持ち手
２０  ゴムバンド
２１  第２実施例に係る巾着バッグ
２２  紐部材
２２ａ  端部
【図１】
0003222826.tif 000003
【図２】
0003222826.tif 000004
【図３】
0003222826.tif 000005
【図４】
0003222826.tif 000006
【図５】
0003222826.tif 000007
【図６】
0003222826.tif 000008
【図７】
0003222826.tif 000009
【図８】
0003222826.tif 000010
【図９】
0003222826.tif 000011
【図１０】
0003222826.tif 000012
【手続補正書】
【提出日】令和1年7月3日(2019.7.3)
【手続補正１】
【補正対象書類名】明細書
【補正対象項目名】０００８
【補正方法】変更
【補正の内容】
【０００８】
前記従来例の課題を解決するための本考案の要旨は、上部に開口部を有し、両端の側部に二つ折り状態のマチ部がそれぞれ設けられる袋状のバッグ本体と、前記開口部の縁部に沿って設けられる挿通部に挿通し、当該開口部を絞って閉塞するための紐部材と、を少なくとも備え、前記挿通部には、前記両端の側部の前記縁部にそれぞれ挿入孔が設けられ、該挿入孔から前記紐部材が延出する構成であることである。
【手続補正２】
【補正対象書類名】実用新案登録請求の範囲
【補正対象項目名】請求項１
【補正方法】変更
【補正の内容】
【請求項１】
上部に開口部を有し、両端の側部に二つ折り状態のマチ部がそれぞれ設けられる袋状のバッグ本体と、
前記開口部の縁部に沿って設けられる挿通部に挿通し、当該開口部を絞って閉塞するための紐部材と、を少なくとも備え、
前記挿通部には、前記両端の側部の前記縁部にそれぞれ挿入孔が設けられ、
該挿入孔から前記紐部材が延出する構成であること
を特徴とする巾着バッグ。